(57)【要約】【課題】曲画線から成るモアレを発生させる模様の一部に、立体的な構成を設けることによって容易に真偽判別できる印刷物を提供する。【解決手段】  基材に印刷される所定の画線幅から成る第１の画線、第２の画線、第３の画線・・第ｎ−１の画線、第ｎの画線から成る画線群によって形成される偽造防止印刷物において、第１の画線は直線で形成され、第ｎの画線は所定の曲線で形成され、第１の画線と第ｎの画線の間に形成される第２の画線、第３の画線・・・第ｎ−１の画線は、第１の画線の直線の形状から第ｎの画線の所定の曲線の形状に徐々に近づく形で形成され、画線群の画線は、基材からの盛り上がりの高さの異なる低画線部と高画線部によって構成され、低画線部から成る領域に対し、高画線部から成る領域との高低差によって不可視画像を構成している。【選択図】図４
2010089282.tif 000002
【特許請求の範囲】
【請求項１】
基材に印刷される所定の画線幅から成る第１の画線、第２の画線、第３の画線・・第ｎ−１の画線及び第ｎの画線から成る画線群によって形成される偽造防止印刷物において、
前記第１の画線、前記第２の画線、前記第３の画線・・・前記第ｎ−１の画線及び前記第ｎの画線は等間隔又は略等間隔で配置され、
前記第１の画線は直線で形成され、前記第ｎの画線は所定の曲線で形成され、
前記第１の画線と前記第ｎの画線の間に形成される前記第２の画線、前記第３の画線・・・前記第ｎ−１の画線は、前記第１の画線の前記直線の形状から前記第ｎの画線の前記所定の曲線の形状に徐々に近づく形で形成され、
前記画線群の画線は、前記基材からの盛り上がりの高さの異なる低画線部と高画線部によって構成され、
前記低画線部から成る領域に対し、前記高画線部から成る領域との高低差によって不可視画像を構成されていることを特徴とする偽造防止印刷物。
【請求項２】
基材に印刷される所定の画線幅から成る第１の画線、第２の画線、第３の画線・・第ｎ−１の画線及び第ｎの画線から成る画線群が少なくとも一つを有する偽造防止印刷物において、
前記第１の画線、前記第２の画線、前記第３の画線・・・前記第ｎ−１の画線及び前記第ｎの画線は等間隔又は略等間隔で配置され、
前記第１の画線、前記第２の画線、前記第３の画線・・・前記第ｎ−１の画線及び前記第ｎの画線は直線で形成され、
前記第１の画線が０度として配置された場合において、前記第ｎの画線は前記第１の画線に対して所定の角度をなして配置され、
前記第１の画線と前記第ｎの画線の間に形成される前記第２の画線、前記第３の画線・・・前記第ｎ−１の画線は、前記第１の画線の前記０度から前記第ｎの画線の前記所定の角度に徐々に近づいて形成され、
前記画線群の画線は、前記基材からの盛り上がりの高さの異なる低画線部と高画線部によって構成され、
前記低画線部から成る領域に対し、前記高画線部から成る領域との高低差によって不可視画像を構成されていることを特徴とする偽造防止印刷物。
【発明の詳細な説明】
【技術分野】
【０００１】
本発明は、銀行券、株券、債券等の有価証券、各種証明書及び重要書類等の偽造防止又は複製防止が必要とされる偽造防止印刷物に関するものである。
【背景技術】
【０００２】
最近の複写機の著しい普及に伴い、銀行券、株券、債券等の有価証券、各種証明書及び重要書類等の貴重印刷物について、複写機による偽造、変造に対する防止策は重要な要素である。そうした複写機による複写物に対して、真正物であるか否かを判定する場合の有効な偽造防止策の一つにモアレによる模様がある。モアレによる模様は、一定の画線幅を有する直線や曲線が一定間隔で連続配列している印刷物上の模様と、複写時において複写機の走査入出力の走査線とが干渉し、干渉縞として発生するものである。
【０００３】
しかし最近のカラー複写機の著しい普及に伴い、偽造、変造による犯罪が増加する危険性を有しており、より一層効果の高い偽造、変造防止策として技術の開発が望まれていた。
【０００４】
前記偽造防止策としてのモアレによる模様を発生させる画線構成として、まず万線パターンによるものがある。例えば、実公平２−４３７４７号公報によると、電子写真方式のカラー複写機コピーマシンによる複写偽造を防止するために、シート基材上に一つの色で万線パターンによる印刷層を形成し、更に該印刷層上に他の色で上記パターンと角度を変えて、万線パターン又は網点パターンによる印刷層を形成して、これをカラーコピーマシンによりコピーすると、カラーコピーマシンに用いられているレンズのレンズ収差により周辺部に歪みが生じるとともに、パターンを各々異なる色で構成しているので、色収差のために各色間でずれが生じ、本物の印刷物のモアレとは異なったモアレが発生するので、目視のみでカラーコピーマシンによる複写偽造のチェックができる複写偽造防止用印刷物が開示されている（例えば、特許文献１参照。）
【０００５】
又、実開平１−３６８６６号公報によると、隣り合う放射状線相互の間隔が略一定になるようにして、被画線形成物上の基準点から放射する多数本の放射状線を具備し、被画線形成物を複写した際にＣＣＤセンサーの走査方向と平行になる部分に確実にモアレを発生させて複写物であることを特定できる画像形成体が開示されている（例えば、特許文献２参照。）
【０００６】
しかし、特許文献１及び２のいずれの考案も、万線パターンを利用しているので画線を構成する万線の角度に依存せざるを得ず、従って万線パターンの角度をかえた画線を多く組み合わせることが必要とされる。
【０００７】
そこで前述した角度に依存せずにモアレを発生させるものとして、同心円パターンを用いたものがある。例えば、実開平５−１２１７３号公報には、被複写紙上に一定間隔を隔てた多数の同心円、あるいは多数の放射線よりなる背景部を印刷形成し、デジタルコピー機による複写時に上記背景部中のいずれかの部分がデジタルコピー機の読み取り方向に対してモアレを発生させる傾斜角度の網点あるいは線群とさせ、複写紙上にこの部分を被複写紙の背景部にはないモアレ発生部として現出させることによって、どのような読み取り方向から複写した場合でも被複写紙と同一の複写を行わせず、複写紙上に差異部を現出させて被複写紙との違いを明確とさせることが可能な複写偽造防止用の被複写紙が開示されている（例えば、特許文献３参照。）
【０００８】
また、特開平６−２６２８９３号公報には、基紙の表面に施された潜像又は背景のいずれか一方が１５０線１０％程度の網点で形成され、他方が同心円パターンで形成され、同心円パターンの円形を構成する細線が１／１０ｍｍの太さを有し、かつ細線相互の間隔Ｓが１／２ｍｍ程度であり、潜像と背景は同色であり、同心円パターンを構成する細線は網点同様無数に存在して成る複写機適応型コピー偽造防止用紙が開示されている。この偽造防止用紙によると、同心円パターンを構成する細線は目立たないため、通常は網点との識別がつかず、肉眼で潜像と背景は一様平面に観察されるが、コピーをすると複写機の形式を問わず、また光の走査方向や用紙の置き方にも関係なく潜像が明瞭に現出するとともにモアレが発生することによって、潜像及びモアレが視認され、偽造防止となるものが開示されている（例えば、特許文献４参照。）
【０００９】
また、本願出願人らも、特開平９−２００６１号公報記載の発明を提案している。この発明は、一定の画線幅の画線を有する複数の多角形に、多角形の辺を成す線分の外向には、多角形の線分と同一の画線幅の定量連続拡張した画線を施し、多角形の辺をなす線分の内向には、多角形の線分と同一の画線幅の収縮配列した画線を施し、多角形の辺をなす線分と、定量連続拡張した線画と、収縮配列した線画とが等間隔で配列されて成る線画の集合体で構成した複写防止模様の作成方法とその印刷物である（例えば、特許文献５参照。）
【００１０】
しかし、これらモアレによる模様を発生させる技術は、カラー複写機の入出力解像度によって効果が異なり、また最近では画像処理におけるフィルタリングによってモアレの発生を抑制することもできるため、モアレの発生が充分な偽造防止策となるとは言い難い状況である。
【００１１】
一方、特公昭５６−１９２７３号公報では、印刷物を傾けて観察して画像を現出するような方法として、印刷基材上に縦横の画線で構成される画像を凹版印刷することで印刷面を真上から観察した場合には確認できない潜像が角度を変えて観察すると顕像化される方法が開示されている（例えば、特許文献６参照。）
【００１２】
また、特開平５−３３９９００号公報では、各種万線模様又はレリーフ模様、及びそれら双方の模様のいずれかの凹凸形状を有する素材と、素材の色及び無色透明以外の異なった他の色による一定な間隔を持つ各種万線画線又は網点画線、及びそれら双方のいずれかとを組み合わせることによって、ある特定の方向から観察するときにのみ、特定の文字、図柄などが認識できるようにした潜像模様形成体とその作製方法が開示されている（例えば、特許文献７参照）。
【００１３】
【特許文献１】実公平２−４３７４７号
【特許文献２】実開平１−３６８６６号
【特許文献３】実開平５−１２１７３号
【特許文献４】特開平６−２６２８９３号
【特許文献５】特開平９−２００６１号
【特許文献６】特公昭５６−１９２７３号
【特許文献７】特開平５−３３９９００号
【発明の開示】
【発明が解決しようとする課題】
【００１４】
上述した従来の印刷物では、複写防止効果には優れる技術であるため、オリジナル印刷物の複写物は複写物か否か容易に判別できるが、オリジナル印刷物の真偽判別は拡大鏡等の簡易判別具が必要であった。また、これらモアレによる模様を発生させる技術は、カラー複写機の入出力解像度によって効果が異なっていた。
【００１５】
また、最近では画像処理におけるフィルタリングによってモアレの発生を抑制することもできるため、モアレの発生が充分な偽造防止策になっていなかった。
【００１６】
上記事情にかんがみ、オリジナル印刷物の複写物は複写物か否か容易に判別でき、オリジナル印刷物の真偽判別は拡大鏡等の簡易判別具を用いることなく判別可能な偽造防止印刷物が望まれている。本発明は、曲画線から成るモアレを発生させる模様の一部に、立体的な構成を設けることによって、オリジナル印刷物の複写物は複写物か否か容易に判別でき、オリジナル印刷物の真偽判別は拡大鏡等の簡易判別具を用いることなく判別可能な偽造防止印刷物を提供することを目的とする。
【課題を解決するための手段】
【００１７】
本発明は、基材に印刷される所定の画線幅から成る第１の画線、第２の画線、第３の画線・・第ｎ−１の画線及び第ｎの画線から成る画線群によって形成される偽造防止印刷物において、前記第１の画線、前記第２の画線、前記第３の画線・・・前記第ｎ−１の画線及び前記第ｎの画線は等間隔又は略等間隔で配置され、前記第１の画線は直線で形成され、前記第ｎの画線は所定の曲線で形成され、前記第１の画線と前記第ｎの画線の間に形成される前記第２の画線、前記第３の画線・・・前記第ｎ−１の画線は、前記第１の画線の前記直線の形状から前記第ｎの画線の前記所定の曲線の形状に徐々に近づく形で形成され、前記画線群の画線は、前記基材からの盛り上がりの高さの異なる低画線部と高画線部によって構成され、前記低画線部から成る領域に対し、前記高画線部から成る領域との高低差によって不可視画像を構成されていることを特徴とする。
【００１８】
また、本発明は、基材に印刷される所定の画線幅から成る第１の画線、第２の画線、第３の画線・・第ｎ−１の画線及び第ｎの画線から成る画線群が少なくとも一つを有する偽造防止印刷物において、前記第１の画線、前記第２の画線、前記第３の画線・・・前記第ｎ−１の画線及び前記第ｎの画線は等間隔又は略等間隔で配置され、前記第１の画線、前記第２の画線、前記第３の画線・・・前記第ｎ−１の画線及び前記第ｎの画線は直線で形成され、前記第１の画線が０度として配置された場合において、前記第ｎの画線は前記第１の画線に対して所定の角度をなして配置され、前記第１の画線と前記第ｎの画線の間に形成される前記第２の画線、前記第３の画線・・・前記第ｎ−１の画線は、前記第１の画線の前記０度から前記第ｎの画線の前記所定の角度に徐々に近づいて形成され、前記画線群の画線は、前記基材からの盛り上がりの高さの異なる低画線部と高画線部によって構成され、前記低画線部から成る領域に対し、前記高画線部から成る領域との高低差によって不可視画像を構成されていることを特徴とする。
【発明の効果】
【００１９】
本発明の偽造防止印刷物は、偽造防止印刷物の複写物はモアレが発生するため、容易に複写物であることが判別可能となる。さらに、オリジナルの印刷物は、傾けて観察した場合に不可視画像が顕在化するか否かによって、本物か否か真偽判別が可能となる。よって、従来のような拡大鏡等の簡易判別具を用いることなくオリジナルの印刷物の真偽判別が可能となる。
【発明を実施するための最良の形態】
【００２０】
以下、本発明の実施の形態１〜３による偽造防止印刷物について、本発明を実施するための最良の形態を図面を用いて説明する。しかしながら、本発明は以下に述べる実施するための最良の形態に限定されるものではなく、特許請求の範囲に記載されている技術の範疇であれば、その他いろいろな実施の形態が含まれる。
【００２１】
図１は、本発明の特徴である画線の立体的な構成が示された説明図である。図１（ａ）は印刷物１の平面図であり、印刷物１上に画線群２が形成されている。この画線群２は、等間隔で配置された画線幅の等しい複数の画線で構成され、図１（ｂ）の正面図に示されるように、印刷物１における印刷面からの盛り上がりの高さの異なる低画線部３と高画線部４によって構成されている。これにより、図１（ａ）の平面図のように、印刷物１を真上から観察した場合、低画線部３と高画線部４との盛り上がりの高さは認識されない。すなわち、背景模様を構成する低画線部３に対し、高画線部４で構成する領域を不可視画像として施すことができる。
【００２２】
図２は、図１に示された印刷物１の側面図である。図２に示されたように、観察者は任意の角度から成る視角５をもって観察した際、低画線部３と高画線部４の高さによって見え方の違いが現れる。低画線部３の視認長さ３ａよりも高画線部４の視認長さ３ｂの方が長く見える。すなわち、図３の斜視図に示されたように、画線群２において、低画線部３の視認長さ３ａよりも高画線部４の視認長さ３ｂの方が長く見えることから、低画線部３より高画線部４の方が高濃度で観察される。これにより、高画線部４で構成された領域から成る不可視画像が、斜めから観察することにより該領域が可視画像となって出現している。なお、画線群２における画線ピッチ並びに低画線部３と高画線部４の高さに何ら制限はないが、低画線部３と高画線部４の画線幅は２００〜６００μｍで画線ピッチは３００〜８００μｍ、低画線部３の盛り高さは１０〜３０μｍで高画線部４の盛り高さは２０〜６０μｍ程度が望ましい。低画線部３の盛りの高さと、高画線部４の盛り高さの差は特に限定されることはないが、１０〜５０μｍ程度が好ましい。
【００２３】
なお、図１に示された画線群２は、すべて直線形状で説明しているが、本発明の効果を奏するためには曲線形状が好ましい。また、印刷物１に用いられる印刷媒体は上質紙、コート紙等、何ら制限するものはなく、画線群２を印刷媒体に転写するための製版及び印刷方式も凹版印刷、スクリーン印刷等、素材を印刷面から盛り上がらせることが可能ならば何ら限定するものではない。
【００２４】
（１）実施の形態１
本発明の実施の形態１による偽造防止印刷物について説明する。
図４（ａ）は、本実施の形態１における印刷物を示した平面図である。基材に印刷される所定の画線幅からなる第１の画線、第２の画線、第３の画線・・第ｎ−１の画線、第ｎの画線から成る画線群２によって形成される。印刷物１上の画線群２は等間隔又は略等間隔の低画線部３と高画線部４とで構成されており、低画線部３及び高画線部４は直線的な画線から曲線的へと徐々に近づき、変形されて形成された画線形状となっている。本実施の形態１において背景模様を構成する低画線部３に対し、高画線部４によって任意の図形、例えば図４（ａ）に示されるような「ＮＰＢ」のアルファベットの文字を成した不可視画像として配置されている（本実施の形態１では、位置をわかり易くするため境界を点線で表現しているが、点線自体は印刷されるものではなく、境界を視認することができない）。この図４（ａ）に示された画線群２を、図２及び図３で示されたように斜めの角度で観察すると、図４（ｂ）に示されるように、低画線部３と高画線部４の盛り高さの違いにより、高画線部４で構成される領域が可視画像となって出現する。
【００２５】
さらに、図４（ａ）に示された印刷物１をカラー複写機で複写すると図５（ａ）の複写物１’のようになる。図５（ａ）に示されたように、カラー複写機の走査線と画線群２とが干渉しモアレが発生する。なお、図５（ｂ）に示されたように、複写物１’では画線群２’における低画線部３’と高画線部４’の盛り高さの違いは無く、高画線部４によって構成されていた不可視画像が可視画像にならないので、これが複写されたものであることが一目瞭然となる。
【００２６】
（２）実施の形態２
本発明の実施の形態２による偽造防止印刷物について説明する。
図６（ａ）は、本実施の形態２における印刷物を示した平面図である。基材に印刷される所定の画線幅からなる第１の画線、第２の画線、第３の画線・・第ｎ−１の画線及び第ｎの画線から成る画線群２によって形成される。印刷物１上の画線群２は等間隔又は略等間隔の低画線部３と高画線部４とで構成されており、低画線部３及び高画線部４は直線的な画線から曲線的へと徐々に近づき、変形されて形成された画線形状となっている。本実施の形態２では、実施の形態１よりも下部の曲線が複雑になっている。本実施の形態２において背景模様を構成する低画線部３に対し、高画線部４によって任意の図形、例えば図６（ａ）に示されるような「ＮＰＢ」のアルファベットの文字を成した不可視画像として配置されている（本実施の形態２では、位置をわかり易くするため境界を点線で表現しているが、点線自体は印刷されるものではなく、境界を視認することができない）。この図６（ａ）に示された画線群２を、図２及び図３で示されたように斜めの角度で観察すると、図６（ｂ）に示されるように、低画線部３と高画線部４の盛り高さの違いにより、高画線部４で構成される領域が可視画像となって出現する。
【００２７】
さらに、図６（ａ）に示された印刷物１をカラー複写機で複写すると図７（ａ）の複写物１’のようになる。図７（ａ）に示されたように、カラー複写機の走査線と画線群２とが干渉しモアレが発生する。なお、図７（ｂ）に示されたように、複写物１’では画線群２’における低画線部３’と高画線部４’の盛り高さの違いは無く、高画線部４によって構成されていた不可視画像が可視画像にならないので、これが複写されたものであることが一目瞭然となる。
【００２８】
つまり、本実施の形態１及び実施の形態２は、基材に印刷される所定の画線幅からなる第１の画線、第２の画線、第３の画線・・第ｎ−１の画線、第ｎの画線から成る画線群によって形成される。第１の画線、第２の画線、第３の画線・・・第ｎ−１の画線及び第ｎの画線は等間隔又は略等間隔で配置され、第１の画線は直線で形成され、第ｎの画線は所定の曲線で形成される。第１の画線と第ｎの画線の間に形成される第２の画線、第３の画線・・・第ｎ−１の画線は、第１の画線の直線の形状から第ｎの画線の所定の曲線の形状に徐々に近づく形で形成され、画線群の画線は、基材からの盛り上がりの高さの異なる低画線部と高画線部によって構成され、低画線部から成る領域に対し、高画線部から成る領域との高低差によって不可視画像を構成されている。
【００２９】
（３）実施の形態３
本発明の実施の形態３による偽造防止印刷物について説明する。
図８（ａ）は、本実施の形態３における印刷物を示した平面図である。基材に印刷される所定の画線幅からなる第１の画線、第２の画線、第３の画線・・第ｎ−１の画線及び第ｎの画線から成る画線群２によって形成される。印刷物１上の画線群２は等間隔又は略等間隔の低画線部３と高画線部４とで構成されており、低画線部３及び高画線部４は直線的な画線から適当な角度で配置された直線的な画線から曲線的へと徐々に近づき、変形されて形成された画線形状となっている。本実施の形態３において背景模様を構成する低画線部３に対し、高画線部４によって任意の図形、例えば図８（ａ）に示されるような「ＮＰＢ」のアルファベットの文字を成した不可視画像として配置されている（本実施の形態３では、位置をわかり易くするため境界を点線で表現しているが、点線自体は印刷されるものではなく、境界を視認することができない。）なお、画線群２は四つの領域によって形成され、「ＮＰＢ」のアルファベットが四つの領域を跨って形成されているが、本発明はこれに限定されることなく、画線群２は一つ以上の領域であれば良い。この図８（ａ）に示された画線群２を、図２及び３で示されたように斜めの角度で観察すると、図８（ｂ）に示されるように、低画線部３と高画線部４の盛り高さの違いにより、高画線部４で構成される領域が可視画像となって出現する。
【００３０】
さらに、図８（ａ）に示された印刷物１をカラー複写機で複写すると図９（ａ）の複写物１’のようになる。図９（ａ）に示されたように、カラー複写機の走査線と画線群２とが干渉しモアレが発生する。なお、図９（ｂ）に示されたように、複写物１’では画線群２’における低画線部３’と高画線部４’の盛り高さの違いは無く、高画線部４によって構成されていた不可視画像が可視画像にならないので、これが複写されたものであることが一目瞭然となる。
【００３１】
つまり、本実施の形態３は、基材に印刷される所定の画線幅からなる第１の画線、第２の画線、第３の画線・・第ｎ−１の画線及び第ｎの画線から成る画線群が少なくとも一つを有する。第１の画線、第２の画線、第３の画線・・・第ｎ−１の画線及び第ｎの画線は等間隔又は略等間隔で配置され、第１の画線、第２の画線、第３の画線・・・第ｎ−１の画線及び第ｎの画線は直線で形成され、第１の画線が０度として配置された場合において、第ｎの画線は第１の画線に対して所定の角度をなして配置される。第１の画線と第ｎの画線の間に形成される第２の画線、第３の画線・・・第ｎ−１の画線は、第１の画線の０度から第ｎの画線の所定の角度に徐々に近づいて形成され、画線群の画線は、基材からの盛り上がりの高さの異なる低画線部と高画線部によって構成され、低画線部から成る領域に対し、高画線部から成る領域との高低差によって不可視画像を構成されている。
【図面の簡単な説明】
【００３２】
【図１】本発明の立体的な構成を示す説明図。
【図２】図１に示された印刷物１の側面図。
【図３】本発明の印刷物１の斜視図。
【図４】実施の形態１における印刷物を示す平面図とその斜視図。
【図５】実施の形態１における印刷物の複写物を示す平面図とその斜視図。
【図６】実施の形態２における印刷物を示す平面図とその斜視図。
【図７】実施の形態２における印刷物の複写物を示す平面図とその斜視図。
【図８】実施の形態３における印刷物を示す平面図とその斜視図。
【図９】実施の形態３における印刷物の複写物を示す平面図とその斜視図。
【符号の説明】
【００３３】
１    印刷物
１’  複写物
２    画線群
２’  画線群
３    低画線部
３’  低画線部
４    高画線部
４’  高画線部
５    視角
【図１】
2010089282.tif 000003
【図２】
2010089282.tif 000004
【図３】
2010089282.tif 000005
【図４】
2010089282.tif 000006
【図５】
2010089282.tif 000007
【図６】
2010089282.tif 000008
【図７】
2010089282.tif 000009
【図８】
2010089282.tif 000010
【図９】
2010089282.tif 000011